(57)【要約】【課題】ループ録画と保存録画とをそれぞれ同時に確実に行なうことができる放送記録装置を提供する。【解決手段】チューナ１３からの放送コンテンツを記録する一時記録領域部Ａと、放送コンテンツを記録する保存領域部Ｂと、放送コンテンツを一時記録領域Ａに制限時間の範囲で記録を行い、制限時間を超えると既に記録された一時記録領域Ａに上書き記録を行なうループ録画を行ない、この際に操作信号が与えられると、一時記録領域Ｂに記録された放送コンテンツを保存領域Ｂにコピーを行い、コピーが完了するまでは一時記録領域Ａは上書き禁止とする制御部３０，４２とをもつ放送記録装置。【選択図】図１
2007158442.tif 000002
【特許請求の範囲】
【請求項１】
放送信号を受信しこれを復調して放送コンテンツを出力するチューナ部と、
前記チューナ部からの放送コンテンツを記録する一時記録領域部と、
前記チューナ部からの放送コンテンツを記録する保存領域部と、
前記放送コンテンツを前記一時記録領域部に制限時間の範囲で記録を行い、前記制限時間を超えると既に記録された前記一時記録領域部に上書き記録を行なうループ録画を行ない、前記ループ録画を行なっている際に操作信号が与えられると、前記一時記録領域に記録された放送コンテンツを前記保存領域部にコピーを行い、前記コピーが完了するまでは前記一時記録領域部の前記放送コンテンツは上書き禁止とするべく制御する制御部と、
を具備することを特徴とする放送記録装置。
【請求項２】
前記放送コンテンツに応じた映像を表示するディスプレイを更に有することを特徴とする請求項１記載の放送記録装置。
【請求項３】
前記制御部は、前記コピーが完了するまでは前記一時記録領域部の前記放送コンテンツにつき前記コピーが完了していない部分を上書き禁止とするべく制御することを特徴とする請求項１記載の放送記録装置。
【請求項４】
前記制御部は、前記操作信号が与えられると、前記一時記録領域に記録済みでありこれから前記保存領域部にコピーする前記放送コンテンツの前半部分と、これから前記保存領域部に記録する前記放送コンテンツの後半部分とが、前記保存領域部において連続して合体するように前記保存領域部上の物理アドレスを計算し、この物理アドレスに基づいて、前記放送コンテンツの前半部分のコピー処理と前記放送コンテンツの後半部分の記録処理とを行なうべく制御することを特徴とする請求項１記載の放送記録装置。
【請求項５】
前記制御部は、前記操作信号が与えられると、前記一時記録領域に記録済みでありこれから前記保存領域部にコピーする前記放送コンテンツの前半部分と、これから前記保存領域部に記録する前記放送コンテンツの後半部分とが、前記保存領域部において連続して合体するように前記保存領域部上の論理アドレスを定義し、この論理アドレスに基づいて前記放送コンテンツのファイルを生成することで、前記放送コンテンツの前半部分のコピー処理と前記放送コンテンツの後半部分の記録処理とを行なうべく制御することを特徴とする請求項１記載の放送記録装置。
【請求項６】
前記制御部は、前記操作信号が与えられると、前記一時記録領域に記録途中の前記放送コンテンツの前半部分の記憶容量を、前記保存領域部に新たな一時記録領域として確保し、前記放送コンテンツとは異なる第２の放送コンテンツの前記ループ録画が指示された際に前記新たな一時記録領域を用いるべく制御することを特徴とする請求項１記載の放送記録装置。
【請求項７】
前記制御部は、前記操作信号が与えられると、前記一時記録領域の記憶容量を、前記保存領域部に新たな一時記録領域として確保し、前記放送コンテンツとは異なる第２の放送コンテンツの前記ループ録画が指示された際に前記新たな一時記録領域を用いるべく制御することを特徴とする請求項１記載の放送記録装置。
【請求項８】
前記制御部は、リモコン装置のループ録画スイッチの押下による操作信号を受けると前記ループ録画を実行し、リモコン装置の保存録画スイッチの押下による操作信号を受けると前記コピー処理を実行するべく制御することを特徴とする請求項１記載の放送記録装置。
【請求項９】
前記一時記録領域部と前記保存領域部とは、同一のハードディスクドライブに設けられた記憶領域であることを特徴とする請求項１記載の放送記録装置。
【請求項１０】
前記一時記録領域部と前記保存領域部とは、それぞれ異なる第１及び第２ハードディスクドライブに設けられた記憶領域であることを特徴とする請求項１記載の放送記録装置。
【請求項１１】
放送信号を受信しこれを復調して放送コンテンツを出力し、
前記放送コンテンツを一時記録領域部に制限時間の範囲で記録を行い、前記制限時間を超えると既に記録された前記一時記録領域部に上書き記録を行なうループ録画を行ない、
前記ループ録画を行なっている際に操作信号が与えられると、前記一時記録領域に記録された放送コンテンツを前記保存領域部にコピーを行い、前記コピーが完了するまでは前記一時記録領域部の前記放送コンテンツは上書き禁止とすることを特徴とする放送記録方法。
【請求項１２】
前記放送コンテンツに応じた映像をディスプレイに表示することを特徴とする請求項１１記載の放送記録方法。
【請求項１３】
前記コピーが完了するまでは前記一時記録領域部の前記放送コンテンツにつき前記コピーが完了していない部分を上書き禁止とすることを特徴とする請求項１１記載の放送記録方法。
【請求項１４】
前記操作信号が与えられると、前記一時記録領域に記録済みでありこれから前記保存領域部にコピーする前記放送コンテンツの前半部分と、これから前記保存領域部に記録する前記放送コンテンツの後半部分とが、前記保存領域部において連続して合体するように前記保存領域部上の物理アドレスを計算し、この物理アドレスに基づいて、前記放送コンテンツの前半部分のコピー処理と前記放送コンテンツの後半部分の記録処理とを行なうことを特徴とする請求項１１記載の放送記録方法。
【請求項１５】
前記操作信号が与えられると、前記一時記録領域に記録済みでありこれから前記保存領域部にコピーする前記放送コンテンツの前半部分と、これから前記保存領域部に記録する前記放送コンテンツの後半部分とが、前記保存領域部において連続して合体するように前記保存領域部上の論理アドレスを定義し、この論理アドレスに基づいて前記放送コンテンツのファイルを生成することで、前記放送コンテンツの前半部分のコピー処理と前記放送コンテンツの後半部分の記録処理とを行なうことを特徴とする請求項１１記載の放送記録方法。
【請求項１６】
前記操作信号が与えられると、前記一時記録領域に記録途中の前記放送コンテンツの前半部分の記憶容量を、前記保存領域部に新たな一時記録領域として確保し、前記放送コンテンツとは異なる第２の放送コンテンツの前記ループ録画が指示された際に前記新たな一時記録領域を用いることを特徴とする請求項１１記載の放送記録方法。
【請求項１７】
前記操作信号が与えられると、前記一時記録領域の記憶容量を、前記保存領域部に新たな一時記録領域として確保し、前記放送コンテンツとは異なる第２の放送コンテンツの前記ループ録画が指示された際に前記新たな一時記録領域を用いることを特徴とする請求項１１記載の放送記録方法。
【請求項１８】
リモコン装置のループ録画スイッチの押下による操作信号を受けると前記ループ録画を実行し、リモコン装置の保存録画スイッチの押下による操作信号を受けると前記コピー処理を実行することを特徴とする請求項１１記載の放送記録方法。
【発明の詳細な説明】
【技術分野】
【０００１】
この発明は、ハードディスクドライブに映像信号を記録する放送記録装置に関し、特に、一時記録を行なう記憶領域と長期記録を行なう記憶領域とをもつ放送記録装置及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、簡易な操作によって予約録画等が可能となるため、より多くの映像音声情報が記憶領域に記憶されることとなる。従って、単に一つのハードディスクに放送コンテンツを記録するというだけでなく、ユーザの番組の視聴の仕方に応じて、様々なハードディスクへの録画方法が有効となる。
【０００３】
特許文献１においては、複数のハードディスクドライブを設け、一方のハードディスクドライブで一定時間内の繰り返し録画である番組コンテンツの上書き記録を行い、他方のハードディスクドライブでこの上書き記録した番組コンテンツを長期保存するための保存録画を行なう記録再生装置を開示している。
【特許文献１】特開２００２−１４２１７７公報。
【発明の開示】
【発明が解決しようとする課題】
【０００４】
しかし、上記した従来技術においては、一時録画領域にループ録画された放送コンテンツに対して、保存領域へのコピー処理が指示されると、一時録画領域に記録途中の放送コンテンツを保存領域へのコピー処理が行なわれる。しかし、このとき、更にループ録画が行なわれる場合もあり、ループ録画の進行によっては、コピー処理中の放送コンテンツがコピー処理がまだ完了していないにもかかわらず、削除されてしまうという問題がある。
【０００５】
本発明は、ループ録画と保存録画とをそれぞれ同時に確実に行なうことができる放送記録装置を提供することを目的とする。
【課題を解決するための手段】
【０００６】
本発明の一実施形態は、放送信号を受信しこれを復調して放送コンテンツを出力するチューナ部と、前記放送コンテンツを記録する一時記録領域と、前記放送コンテンツを記録する保存領域部と、前記放送コンテンツを前記一時記録領域部に制限時間の範囲で記録を行い、前記制限時間を超えると既に記録された前記一時記録領域部に上書き記録を行なうループ録画を行ない、前記ループ録画を行なっている際に操作信号が与えられると、前記一時記録領域部に記録された放送コンテンツを前記保存領域部にコピーを行い、前記コピーが完了するまでは前記一時記録領域部の放送コンテンツは上書き禁止とするべく制御する制御部とを具備することを特徴とする放送記録装置である。
【０００７】
この放送記録装置は、一時記録領域Ａにループ録画済みの放送コンテンツを保存領域Ｂにコピー処理中において、この一時記録領域にループ録画済みの放送コンテンツは、上書き禁止とすることで、ループ録画と、確実な保存領域へのコピー処理とを両立させるものである。
【発明の効果】
【０００８】
ループ録画と保存録画とをそれぞれ同時に確実に行なうことができる放送記録装置を提供する。
【発明を実施するための最良の形態】
【０００９】
以下、この発明の実施の形態について図面を参照して詳細に説明する。  
すなわち、図１は、本発明の一実施形態に係る放送記録装置の構成の一例を示すブロック図、図２乃至図４は、本発明の一実施形態に係る放送記録装置の他の構成の一例を示すブロック図である。
【００１０】
＜本発明の一実施形態に係る放送記録装置＞
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【００１１】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１２】
図１において、デジタルテレビジョンである放送記録装置１０は、ハードディスクドライブ１８を有しており、このハードディスクドライブ１８は、ループ録画に用いられる一時記録領域Ａと、保存記録に用いられる保存領域Ｂをもっている。又、制御部３０は、全体の動作を司るべくデータバスＢを介して各部に接続されている。
【００１３】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）アナログチューナ部１２と、いわゆる地上波アナログチューナ部１３と、衛星放送（ＢＳ／ＣＳ）デジタルチューナ部１４と、いわゆる地上波デジタルチューナ部１５とが接続され、エンコーダ部２１に信号を出力する。又、ＢＳ／ＣＳアナログチューナ部１２には衛星アンテナが、地上波アナログチューナ部１３には地上波アンテナが、ＢＳ／ＣＳデジタルチューナ部１４には衛星アンテナが、地上波デジタルチューナ部１５には地上波アンテナが接続されている。又、放送記録装置１０は、エンコーダ部２１と、エンコーダ部２１の出力を受け、データ編集等の所望のデータ処理を行う信号編集部２０、信号編集部２０に接続され、ループ録画のための一時記録領域Ａと保存録画のための保存領域Ｂとをもつハードディスクドライブ１８を有している。更に、放送記録装置１０は、ハードディスクドライブ１８からの信号を受けてデコードするＭＰＥＧデコーダ部２３と、エンコーダ部２１、バッファ部２２、ＭＰＥＧデコーダ部２３、多重化部２８、分離部２９、制御部３０、ループ録画・保存録画制御部３４、予約録画部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１４】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブの記録再生指示や、編集指示、又、チューナの操作、予約録画の設定等、各種設定が可能である。
【００１５】
又、図２に示すように、本発明の一実施形態に係る放送記録装置１０の一時記録領域Ａと保存領域Ｂとは、独立したハードディスクドライブ１８，１９に設けられている場合も好適である。又、図３に示すように、本発明の一実施形態に係る放送記録装置１０のハードディスクドライブ１８ｂは、インタフェース２５を介して着脱可能な外付けハードディスクドライブであることも好適である。更に、図４に示すように、内蔵のハードディスクドライブ１８に加えて、更に外付けのハードディスクドライブ４４を設け、保存領域Ｂをここに設けることも好適である。
【００１６】
（基本動作）
・放送コンテンツ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳアナログチューナ１２、地上波アナログチューナ部１３、ＢＳ／ＣＳデジタルチューナ１４又は地上波デジタルチューナ部１５からの放送コンテンツをディスプレイ２６に表示する。
【００１７】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳアナログチューナ部１２、地上波アナログチューナ部１３、ＢＳ／ＣＳデジタルチューナ１４、地上波デジタルチューナ部１５は、アンテナを介して放送信号を選局し復調して映像信号及び音声信号を入力する。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１８】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２０】
又、ＢＳ／ＣＳアナログチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２１】
ここで図１の装置は、エンコーダ部２１でエンコードされた情報（ビデオ、オーディオ、副映像データなどのパック）及び作成された管理情報を、又はデジタル情報をエンコードすることなく、制御部３０を介してハードディスクドライブ１８，１９に供給し記録することができる。なお、ＢＳ／ＣＳアナログチューナ部１２、地上波アナログチューナ部１３は、ここから出力される放送コンテンツをエンコーダ部２１でエンコードして、ハードディスクドライブ１８等に記録する。又、ＢＳ／ＣＳデジタルチューナ１４、地上波デジタルチューナ部１５の場合は、出力された放送コンテンツは複数チャンネル分の放送コンテンツを含んでおり、分離部２９により所望のチャンネルの放送コンテンツを分離し、更に、多重化部２８により、複数チャンネル分の管理情報を分離した所望のチャンネル用の管理信号に書き換えるべく管理情報を多重処理する。又、アナログチューナ部からの放送コンテンツのようなエンコーダ部でのエンコード処理を行なうことなく、多重処理された放送コンテンツをそのままハードディスクドライブ１８等に記録するものである。
【００２２】
信号編集部２０により、ハードディスクドライブ１８等に記録されている複数番組の放送コンテンツを、一部削除したり、異なる番組のオブジェクトをつなげたり、といった編集処理を行うこともできる。
【００２３】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２４】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３，１４，１５からのデジタル信号を直接モニタする時、エンコーダ部２１をスルーした信号を直接選択することも可能である。
【００２５】
・予約録画処理
又、通信部１１等から取得した電子番組情報に基づいて、予約録画部４３によりユーザのリモコンＲ等の操作により特定した番組に応じて、録画予約処理が可能である。予約された予約録画情報に基づいて、制御部３０及び予約録画部４３の働きにより、予約時刻になると、ＢＳ／ＣＳアナログチューナ部１２、地上波アナログチューナ部１３、ＢＳ／ＣＳデジタルチューナ部１４、地上波デジタルチューナ部１５が受信した番組情報が復調された放送コンテンツが、例えば、ハードディスクドライブ１９等に記録（予約録画）される。
【００２６】
この実施形態の放送記録装置１０は、このように総合的な機能を有しており、複数のソースに対して、ハードディスクドライブ１８等に対する記録・再生処理を行うものである。又、ハードディスクドライブ１８等の他に、データ編集部２０等に図示しない光ディスクドライブを接続して、同様に記録・再生処理を行なうことも好適である。
【００２７】
＜本発明の一実施形態であるループ録画及び保存録画処理＞
次に、本発明の一実施形態であるループ録画及び保存録画処理を図面を用いて以下に詳細に説明する。図５は、同じく放送記録装置を操作するためのリモコン装置の一例を示す説明図、図６は、同じく放送記録装置の第１のコピー処理の一例を示す説明図、図７は、同じく放送記録装置の第２のコピー処理の一例を示す説明図、図８は、同じく放送記録装置の第３及び第４のコピー処理の一例を示す説明図、図９は、同じく放送記録装置の第５のコピー処理の一例を示す説明図、図１０は、同じく放送記録装置の第６のコピー処理の一例を示す説明図、図１１は、同じく放送記録装置の第１のコピー処理の一例を示すフローチャート、図１２は、同じく放送記録装置の第２のコピー処理の一例を示すフローチャート、図１３は、同じく放送記録装置の第３のコピー処理の一例を示すフローチャート、図１４は、同じく放送記録装置の第４のコピー処理の一例を示すフローチャート、図１５は、同じく放送記録装置の第５のコピー処理の一例を示すフローチャート、図１６は、同じく放送記録装置の第６のコピー処理の一例を示すフローチャートである。
【００２８】
（ループ録画と保存録画）
初めに、ループ録画と保存録画の概要を説明する。  
ループ録画とは、例えば、ＢＳ／ＣＳアナログチューナ部１２からの放送コンテンツをハードディスクドライブ１８の一時記憶領域Ａを用いるもので、例えば、６時間等の制限時間の範囲でこの一時記憶領域Ａに連続的に録画する方法である。ここで、録画時間が６時間等の制限時間を越えると、一時記憶領域Ａの一番古い領域から上書き録画を行なっていくもので、これにより記憶容量の節約を行ないながら放送コンテンツの録画・再生処理を行なうものである。
【００２９】
しかしながら、ループ録画では、録画したが再生をしないままに、その後の他の放送コンテンツの録画により、放送コンテンツが上書きされ削除されてしまうという不具合がある。従って、このような場合を回避するために、保存領域Ｂを用いるもので、ループ録画中の放送コンテンツを対象として、又は、ループ録画を完了した放送コンテンツを対象として、放送コンテンツの保存領域Ｂへのコピー処理（又は移動処理）を行なうことにより、放送コンテンツを長期的に保存することができる。
【００３０】
しかし、一時録画領域に記録途中の放送コンテンツを保存領域へのコピー処理が行なわれる際に、更にループ録画が行なわれる場合もあり、ループ録画の進行によっては、コピー処理中の放送コンテンツがコピー処理がまだ完了していないにもかかわらず、削除されてしまうという不具合がある。このような不具合等を回避するべく、以下のようなフローチャート等で特定される実施形態を行なうことが好適となる。
【００３１】
（第１実施形態：放送コンテンツの上書き禁止：図６，図１１）
第１実施形態は、放送コンテンツの記録領域Ｂへのコピー処理中に、一時記憶領域Ａに記録途中の放送コンテンツの前半部分について上書き禁止とすることにより、ループ録画を確実に行なう放送記録装置である。
【００３２】
すなわち、本発明の一実施形態の放送記録再生装置１０においては、例えば、地上波アナログチューナ部１２等からの放送コンテンツを音声映像処理部２４で再生した再生映像をディスプレイ２６に表示している状態で、ユーザがリモコンのループ録画スイッチ５１を押下することで、ループ録画が行なわれる（ステップＳ１１）。
【００３３】
制御部３０及びループ録画・保存録画制御部４２は、ループ録画スイッチ５１からの操作信号を受けると、地上波チューナ部１３等からの放送コンテンツをエンコーダ部２１に供給し、エンコーダ部２１によりエンコードされた放送コンテンツは、信号編集部２０を介して、ハードディスクドライブ１８の一時記憶領域Ａに記録される（ステップＳ１２）。
【００３４】
更に、ここで、ユーザによりリモコンの保存録画スイッチ５２が押下されると（ステップＳ１３）、制御部３０及びループ録画・保存録画制御部４２の働きにより、一時記憶領域Ａの放送コンテンツａを上書き禁止とする（ステップＳ１５）。そして、放送コンテンツａを保存領域Ｂに保存（コピー又は移動）するものである（ステップＳ１６）。
【００３５】
又、リモコンの保存録画スイッチ５２が押下されずストップスイッチ５３が押下されると（ステップＳ１４）、そこでループ録画は終了となる。
【００３６】
これにより、放送コンテンツａは、コピー処理中に、次の放送コンテンツ等のループ録画処理等が原因となり、上書きされて消去してしまう心配がなくなるため、ユーザはコピー又は移動処理を確実に行なうことができる。
【００３７】
（第２実施形態：未コピー放送コンテンツの上書き禁止：図７，図１２）
第２実施形態は、放送コンテンツの記録領域Ｂへのコピー処理中に、一時記憶領域Ａに記録途中の放送コンテンツの前半部分のうち未コピー領域だけを上書き禁止とすることにより、上書き禁止の影響を最小限に抑え、ループ録画を確実に行なう放送記録装置である。
【００３８】
すなわち、本発明の一実施形態の放送記録再生装置１０においては、例えば、地上波アナログチューナ部１３等からの放送コンテンツを音声映像処理部２４で再生した再生映像をディスプレイ２６に表示している状態で、ユーザがリモコンのループ録画スイッチ５１を押下することで、ループ録画が行なわれる（ステップＳ１１）。
【００３９】
制御部３０及びループ録画・保存録画制御部４２は、ループ録画スイッチ５１からの操作信号を受けると、地上波チューナ部１３等からの放送コンテンツをエンコーダ部２１に供給し、エンコーダ部２１によりエンコードされた放送コンテンツは、信号編集部２０を介して、ハードディスクドライブ１８の一時記憶領域Ａに記録される（ステップＳ１２）。
【００４０】
更に、ここで、ユーザによりリモコンの保存録画スイッチ５２が押下されると（ステップＳ１３）、制御部３０及びループ録画・保存録画制御部４２の働きにより、図７に示すように、一時記憶領域Ａの放送コンテンツａのうち、未コピー領域ｃだけを上書き禁止とする（ステップＳ２１）。そして、放送コンテンツａを保存領域Ｂに保存（コピー又は移動）するものである（ステップＳ２２）。このような処理（Ｓ２１，Ｓ２２）は、例えば、リモコンＲのストップスイッチ５３が押下され、又、コピー処理が完了するまで継続するものである（ステップＳ２３）。
【００４１】
又、リモコンの保存録画スイッチ５２が押下されずストップスイッチ５３が押下されると（ステップＳ１４）、そこでループ録画は終了となる。
【００４２】
これにより、放送コンテンツは、コピー処理中に、次の放送コンテンツ等のループ録画処理等が原因となり、上書きされて消去してしまう心配がなくなるため、ユーザはコピー又は移動処理を確実に行なうことができる。
【００４３】
（第３・第４実施形態：物理アドレス・論理アドレス：図８，図１３，図１４）
第３実施形態は、放送コンテンツの記録領域Ｂへのコピー処理において、一時記録領域Ａに記録済みでありこれから保存領域Ｂにコピーする放送コンテンツ前半部分ａと、これから保存領域Ｂに記録する放送コンテンツの後半部分ｄとが、保存領域Ｂにおいて連続して合体するように、保存領域上の物理アドレスを計算し、この物理アドレスに基づいて、放送コンテンツの前半部分のコピー処理と放送コンテンツの後半部分の記録処理とを行なう放送記録装置を特定している。
【００４４】
又、第４実施形態は、放送コンテンツ前半部分ａとこれから保存領域Ｂに記録する放送コンテンツの後半部分ｄとが保存領域Ｂにおいて連続して合体するように物理アドレスを算出するのではなく、コピー後の放送コンテンツの論理アドレスを連続したものとして定義し、この連続する論理アドレスの定義により、放送コンテンツの前半部分のコピー処理と放送コンテンツの後半部分の記録処理とを行なう放送記録装置を特定している。
【００４５】
すなわち、本発明の一実施形態の放送記録再生装置１０においては、例えば、地上波アナログチューナ部１３等からの放送コンテンツを音声映像処理部２４で再生した再生映像をディスプレイ２６に表示している状態で、ユーザがリモコンのループ録画スイッチ５１を押下することで、ループ録画が行なわれる（ステップＳ１１）。
【００４６】
制御部３０及びループ録画・保存録画制御部４２は、ループ録画スイッチ５１からの操作信号を受けると、地上波チューナ部１３等からの放送コンテンツをエンコーダ部２１に供給し、エンコーダ部２１によりエンコードされた放送コンテンツは、信号編集部２０を介して、ハードディスクドライブ１８の一時記憶領域Ａに記録される（ステップＳ１２）。
【００４７】
更に、ここで、ユーザによりリモコンの保存録画スイッチ５２が押下されると（ステップＳ１３）、制御部３０及びループ録画・保存録画制御部４２の働きにより、一時記憶領域Ａの放送コンテンツａを上書き禁止とする（ステップＳ３１）。
【００４８】
そして、制御部３０及びループ録画・保存録画制御部４２の働きにより、一時記録領域Ａに記録済みでありこれから保存領域Ｂにコピーする放送コンテンツＣの前半部分ａと、これから保存領域Ｂに記録する放送コンテンツＣの後半部分ｄとが、保存領域Ｂにおいて連続して合体するように保存領域Ｂ上の物理アドレスＸを計算する（ステップＳ３２）。そして、図８に示すように、この物理アドレスＸに基づいて、放送コンテンツの前半部分ａのコピー処理を行ない（ステップＳ３３）、同様に、この物理アドレスＸに基づいて、放送コンテンツの後半部分ｄの記録領域Ｂへの記録処理が行なわれる（ステップＳ３４）。
【００４９】
又、リモコンの保存録画スイッチ５２が押下されずストップスイッチ５３が押下されると（ステップＳ１４）、そこでループ録画は終了となる。
【００５０】
これにより、放送コンテンツの保存領域へのコピー処理を確実に行なうことができる。
【００５１】
又、第４実施形態においては、制御部３０及びループ録画・保存録画制御部４２で使用されるファイルシステムにおいて、放送コンテンツの前半部分ａと前半部分ｂとが連続して合体するように、連続的な管理データとなるべく論理アドレス（ファイリング）を定義する（ステップＳ３５）。ここでは、必ずしも物理アドレスが連続していることを要しない。
【００５２】
そして、図８に示すように、この論理アドレスに基づいて、放送コンテンツの前半部分ａのコピー処理を行ない（ステップＳ３６）、同様に、この論理アドレスに基づいて、放送コンテンツの後半部分ｄの記録領域Ｂへの記録処理が行なわれる（ステップＳ３７）。
【００５３】
又、リモコンの保存録画スイッチ５２が押下されずストップスイッチ５３が押下されると（ステップＳ１４）、そこでループ録画は終了となる。
【００５４】
これにより、放送コンテンツは、コピー処理中に、次の放送コンテンツ等のループ録画処理等が原因となり、上書きされて消去してしまう心配がなくなるため、ユーザはコピー又は移動処理を確実に行なうことができる。
【００５５】
（第５実施形態：放送コンテンツ前半部分ａ分だけ一時記録領域を設ける：図９，図１５）
第５実施形態は、放送コンテンツの記録領域Ｂへのコピー処理中に、保存領域Ｂに放送コンテンツ前半部分ａ分だけの一時記憶領域ａ’を設ける放送記録装置を特定する。
【００５６】
すなわち、本発明の一実施形態の放送記録再生装置１０においては、例えば、地上波アナログチューナ部１３等からの放送コンテンツを音声映像処理部２４で再生した再生映像をディスプレイ２６に表示している状態で、ユーザがリモコンのループ録画スイッチ５１を押下することで、ループ録画が行なわれる（ステップＳ１１）。
【００５７】
制御部３０及びループ録画・保存録画制御部４２は、ループ録画スイッチ５１からの操作信号を受けると、地上波チューナ部１３等からの放送コンテンツをエンコーダ部２１に供給し、エンコーダ部２１によりエンコードされた放送コンテンツは、信号編集部２０を介して、ハードディスクドライブ１８の一時記憶領域Ａに記録される（ステップＳ１２）。
【００５８】
更に、ここで、ユーザによりリモコンの保存録画スイッチ５２が押下されると（ステップＳ１３）、制御部３０及びループ録画・保存録画制御部４２の働きにより、一時記憶領域Ａの放送コンテンツａを上書き禁止とする（ステップＳ４１）。そして、放送コンテンツａを保存領域Ｂに保存（コピー又は移動）するものである（ステップＳ４２）。
【００５９】
これと同時に、図８に示すように、保存（コピー）により上書き禁止となった一時記憶領域ａの容量に応じて保存領域Ｂの一部を一時記憶領域ａ’として確保する（ステップＳ４３）。
【００６０】
これにより、一時記憶領域の容量が確実に確保することができるため、安定したループ録画を可能とするものである。
【００６１】
その後、リモコンＲのストップスイッチ５３が押下され、更にコピー処理が完了したのであれば（ステップＳ４４）、一時記憶領域Ａの放送コンテンツａの上書き禁止を解除し、放送コンテンツの再生後に保存領域Ｂの一部に設けた一時記憶領域ａ’を開放するものである（ステップＳ４５）。
【００６２】
又、リモコンの保存録画スイッチ５２が押下されずストップスイッチ５３が押下されると（ステップＳ１４）、そこでループ録画は終了となる。
【００６３】
これにより、放送コンテンツａは、コピー処理中に、一時記憶領域Ａの容量不足に陥ることがなくなるため、安定したループ録画を可能とするものである。
【００６４】
（第６実施形態：一時記録領域Ａと同容量の一時記録領域Ａ’を保存領域に設ける：図１０，図１６）
第６実施形態は、放送コンテンツの記録領域Ｂへのコピー処理中に、保存領域Ｂに一時記録領域Ａと同容量の一時記録領域Ａ’を設ける放送記録装置を特定する。
【００６５】
すなわち、本発明の一実施形態の放送記録再生装置１０においては、例えば、地上波アナログチューナ部１３等からの放送コンテンツを音声映像処理部２４で再生した再生映像をディスプレイ２６に表示している状態で、ユーザがリモコンのループ録画スイッチ５１を押下することで、ループ録画が行なわれる（ステップＳ１１）。
【００６６】
制御部３０及びループ録画・保存録画制御部４２は、ループ録画スイッチ５１からの操作信号を受けると、地上波チューナ部１３等からの放送コンテンツをエンコーダ部２１に供給し、エンコーダ部２１によりエンコードされた放送コンテンツは、信号編集部２０を介して、ハードディスクドライブ１８の一時記憶領域Ａに記録される（ステップＳ１２）。
【００６７】
更に、ここで、ユーザによりリモコンの保存録画スイッチ５２が押下されると（ステップＳ１３）、制御部３０及びループ録画・保存録画制御部４２の働きにより、一時記憶領域Ａの放送コンテンツａを上書き禁止とする（ステップＳ４１）。そして、放送コンテンツａを保存領域Ｂに保存（コピー又は移動）するものである（ステップＳ４２）。
【００６８】
これと同時に、図１０に示すように、一時記憶領域Ａと同容量の新たな一時記憶領域Ａ’を保存領域Ｂに確保する（ステップＳ４３）。
【００６９】
これにより、一時記憶領域の容量が確実に確保することができるため、安定したループ録画を可能とするものである。
【００７０】
その後、リモコンＲのストップスイッチ５３が押下され、更にコピー処理が完了したのであれば（ステップＳ４４）、一時記憶領域Ａの放送コンテンツａの上書き禁止を解除し、放送コンテンツの再生後に保存領域Ｂの一部に設けた一時記憶領域Ａ’を開放するものである（ステップＳ４５）。
【００７１】
又、リモコンの保存録画スイッチ５２が押下されずストップスイッチ５３が押下されると（ステップＳ１４）、そこでループ録画は終了となる。
【００７２】
これにより、放送コンテンツａは、コピー処理中に、一時記憶領域Ａの容量不足に陥ることがなくなるため、安定したループ録画を可能とするものである。
【００７３】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７４】
【図１】本発明の一実施形態に係る放送記録装置の構成の一例を示すブロック図。
【図２】本発明の一実施形態に係る放送記録装置の他の構成の一例を示すブロック図。
【図３】本発明の一実施形態に係る放送記録装置の他の構成の一例を示すブロック図。
【図４】本発明の一実施形態に係る放送記録装置の他の構成の一例を示すブロック図。
【図５】同じく放送記録装置を操作するためのリモコン装置の一例を示す説明図。
【図６】同じく放送記録装置の第１のコピー処理の一例を示す説明図。
【図７】同じく放送記録装置の第２のコピー処理の一例を示す説明図。
【図８】同じく放送記録装置の第３及び第４のコピー処理の一例を示す説明図。
【図９】同じく放送記録装置の第５のコピー処理の一例を示す説明図。
【図１０】同じく放送記録装置の第６のコピー処理の一例を示す説明図。
【図１１】同じく放送記録装置の第１のコピー処理の一例を示すフローチャート。
【図１２】同じく放送記録装置の第２のコピー処理の一例を示すフローチャート。
【図１３】同じく放送記録装置の第３のコピー処理の一例を示すフローチャート。
【図１４】同じく放送記録装置の第４のコピー処理の一例を示すフローチャート。
【図１５】同じく放送記録装置の第５のコピー処理の一例を示すフローチャート。
【図１６】同じく放送記録装置の第６のコピー処理の一例を示すフローチャート。
【符号の説明】
【００７５】
１１…通信部、１２…ＢＳ／ＣＳアナログチューナ部、１３…地上波アナログチューナ部、１４…ＢＳ／ＣＳデジタルチューナ部、１５…地上波デジタルチューナ部、１８…ハードディスクドライバ、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、４１…モニタ、Ｒ…リモコン、４２…予約録画部、４３…番組表生成部。
【図１】
2007158442.tif 000003
【図２】
2007158442.tif 000004
【図３】
2007158442.tif 000005
【図４】
2007158442.tif 000006
【図５】
2007158442.tif 000007
【図６】
2007158442.tif 000008
【図７】
2007158442.tif 000009
【図８】
2007158442.tif 000010
【図９】
2007158442.tif 000011
【図１０】
2007158442.tif 000012
【図１１】
2007158442.tif 000013
【図１２】
2007158442.tif 000014
【図１３】
2007158442.tif 000015
【図１４】
2007158442.tif 000016
【図１５】
2007158442.tif 000017
【図１６】
2007158442.tif 000018